(57)【要約】【課題】窓部材と窓用開口との寸法ギャップがあっても、窓部材と開口下地とを額縁材で確実に連結可能にする窓縁構造を提供する。【解決手段】建物１に開口した窓用開口２内に窓部材５を配設し、この窓部材５の外周部を窓用開口２の開口下地３に被せて配設した額縁材４に対して取り付けて成る窓縁構造である。開口下地３と額縁材４との間にスペーサ材６を配設する。該スペーサ材６を額縁材４に接地する額縁側部材７と開口下地３に接地する開口縁側部材８との２部材で構成する。額縁側部材７と開口縁側部材８とに互いに螺合するネジ部９をそれぞれ設ける。該ネジ部９の螺合深さを調節することで、額縁側部材７と開口縁側部材８とをその隣接距離を調節自在にして取り付ける。【選択図】図１
2009127383.tif 000002
【特許請求の範囲】
【請求項１】
建物に開口した窓用開口内に窓部材を配設し、この窓部材の外周部を窓用開口の開口下地に被せて配設した額縁材に対して取り付けて成る窓縁構造であって、開口下地と額縁材との間にスペーサ材を配設し、該スペーサ材を額縁材に接地する額縁側部材と開口下地に接地する開口縁側部材との２部材で構成し、額縁側部材と開口縁側部材とに互いに螺合するネジ部をそれぞれ設け、該ネジ部の螺合深さを調節することで、額縁側部材と開口縁側部材とをその隣接距離を調節自在にして取り付けて成ることを特徴とする窓縁構造。
【発明の詳細な説明】
【技術分野】
【０００１】
本発明は、窓縁構造に関するものである。
【背景技術】
【０００２】
従来から、図２のように、建物１に開口した窓用開口２の開口下地３に被せて額縁材４を配設し、この額縁材４に外周を取り付けた窓部材５を窓用開口２内に配設して成る窓縁構造にあっては、額縁材４は開口下地３にスペーサ材６を介して取り付けられている（たとえば特許文献１参照）。
【０００３】
ここで、しばしば窓部材５と窓用開口２との間には施工誤差等などで寸法ギャップを生じる場合があるが、この場合には厚み寸法の異なるスペーサ材や薄板状の追加スペーサ材をかませ、窓部材５と開口下地３とを連結する額縁材４を開口下地３に対して適宜距離を保って配設させるといった対処が為されていた。
【０００４】
しかしながら、上記厚み寸法の異なるスペーサ材や追加スペーサ材をかませる施工作業は、厚み寸法の異なる数種類のスペーサ材を用意する必要があって施工性が悪いばかりか、窓部材５と開口下地３との連結の確実性も無いものであった。
【特許文献１】特開平８−３０３１２２号公報
【発明の開示】
【発明が解決しようとする課題】
【０００５】
本発明は上記の点に鑑みてなされたものであり、その目的とするところは、窓部材と窓用開口との寸法ギャップがあっても、窓部材と開口下地とを額縁材で確実に連結可能にする窓縁構造を提供することにある。
【課題を解決するための手段】
【０００６】
上記課題を解決するために請求項１に係る窓縁構造にあっては、建物１に開口した窓用開口２内に窓部材５を配設し、この窓部材５の外周部を窓用開口２の開口下地３に被せて配設した額縁材４に対して取り付けて成る窓縁構造であって、開口下地３と額縁材４との間にスペーサ材６を配設し、該スペーサ材６を額縁材４に接地する額縁側部材７と開口下地３に接地する開口縁側部材８との２部材で構成し、額縁側部材７と開口縁側部材８とに互いに螺合するネジ部９をそれぞれ設け、該ネジ部９の螺合深さを調節することで、額縁側部材７と開口縁側部材８とをその隣接距離を調節自在にして取り付けて成ることを特徴とする。
【０００７】
これによると、窓部材５と窓用開口２との寸法ギャップがあっても、額縁側部材７と開口縁側部材８との２部材で構成したスペーサ材６を用いて、額縁材４を窓用開口２の開口下地３に任意の距離を保って配設することができ、窓部材５と開口下地３とを額縁材４にて収まり良く確実に連結させることができる。
【発明の効果】
【０００８】
本発明にあっては、窓部材と窓用開口との寸法ギャップがあっても、窓部材と開口下地とを額縁材で確実に連結可能できる、という利点を有する。
【発明を実施するための最良の形態】
【０００９】
以下、本発明を添付図面に示す実施形態に基いて説明する。
【００１０】
図１（ａ）のように、本例では建物内の部屋である浴室１０に設ける窓の窓縁構造を例示する。浴室１０は建物１の壁部で囲まれた内部空間に形成される。たとえば、浴室床パンの周囲から室内壁１０ａを立設すると共に室内壁１０ａの上端に浴室天井材を架設することで、部屋状に形成した浴室ユニットを用いることができる。室内壁１０ａと建物１の壁部にそれぞれ連通する窓用開口２を形成することで、浴室１０に窓を設けている。建物１の壁部における窓用開口２の開口縁には、開口下地３が周方向に亙って配設されている。
【００１１】
この窓用開口２の室外側端部には、矩形枠状のサッシ枠１１の内部に板ガラス１２ａや網戸１２ｂなどの窓材１２を開閉自在に設けて成る窓部材５を、配設している。サッシ枠１１の外周端には、外方へ突出した下地固定片１３が設けられており、この下地固定片１３が開口下地３の室外側端面に沿わせてビス等の固定具２４にて固定される。また、サッシ枠１１の外周端の室内側端部には、室内側に突出した額縁固定片１４が設けられている。
【００１２】
この窓部材５は、開口下地３を覆うように配設される額縁材４を用いて、収まり良く窓用開口２に配設される。額縁材４は断面Ｌ字状の樹脂材や木質材で構成される。詳しくは、額縁材４は、窓用開口２の内周面に臨んだ開口下地３を覆う主体板部１５と、主体板部１５の室内側端部で窓用開口２の外方に突出して室内壁１０ａの室内面を覆うフランジ板部１６とで構成されている。主体板部１５の室外側端部は窓部材５の額縁固定片１４にビス等の固定具１７で固定され、フランジ板部１６の突出先端部は室内壁１０ａの室内面にビス等の固定具１８で固定される。なお、額縁材４は窓用開口２の開口下地３との間にスペーサ材６を介在させて配設され、高い取付強度が確保されている。
【００１３】
ここで、窓部材５と窓用開口２との間には施工誤差等などで寸法ギャップを生じる場合があるが、本例では上記スペーサ材６に工夫を凝らし、窓部材５や額縁材４を窓用開口２に収まり良く配設することを可能にしている。
【００１４】
すなわち、本例のスペーサ材６は、図１（ｂ）のように、額縁材４に接地する額縁側部材７と、開口下地３に接地する開口縁側部材８との２部材で構成している。そして、額縁側部材７と開口縁側部材８とには互いに螺合するネジ部９がそれぞれ設けられており、該ネジ部９の螺合深さを調節することで、額縁側部材７と開口縁側部材８とをその隣接距離を調節自在にして取り付け可能にしている。額縁材４の支持強度を考慮すると、スペーサ材６は金属材で構成するのが好ましい。
【００１５】
詳しくは、額縁側部材７はその外周に打入用凹凸１９が施された筒部材で構成されている。額縁材４の主体板部１５における開口下地３に対向する裏側面には、複数の嵌合用凹部２０がその屋内外方向に列設されており、額縁側部材７を任意の嵌合用凹部２０にその打入用凹凸１９を嵌合用凹部２０の内面に食い込ませるようにして嵌め込むことで、額縁材４に額縁側部材７を固定可能にしてある。本例の打入用凹凸１９は筒部材の全外周に形成した雄ネジ状の凹凸で構成されているが、嵌合用凹部２０に挿入する際に嵌合用凹部２０の内面に食い込ませ得る機能を満たせはよく、筒部材の外周の一部に形成した凹凸形状（凸形状のみでも可）で構成することもできる。
【００１６】
なお、本例の場合、額縁材４の主体板部１５はその室外側端部を窓部材５の額縁固定片１４に窓用開口２の内側から沿わせるように固定させるのであり、額縁材４の取付バランスを考慮すると、額縁側部材７は主体板部１５の室内側寄りの部位に設けた嵌合用凹部２０に固定するのが好ましい。しかしながら、上記のように主体板部１５は嵌合用凹部２０を複数有しているので、開口下地３の形状等も考慮して任意の嵌合用凹部２０を選定して額縁側部材７を固定することができる。また、筒状の額縁側部材７には、その筒内面に雌ネジ９ａが刻設されたネジ孔２１が形成されている。
【００１７】
開口縁側部材８は、開口下地３に接地される円盤状の接地部２２の中央から軸部２３が窓用開口２の内方に向けて突設され、この軸部２３の外周には雄ネジ９ｂが刻設されている。開口縁側部材８は、その軸部２３の雄ネジ９ｂを額縁側部材７のネジ孔２１の雌ネジ９ａに螺合させることで、額縁側部材７に取り付けられるのであるが、ネジ部９（雄ネジ９ｂ、雌ネジ９ａ）の螺合深さを調節することで軸部２３のネジ孔２１への挿入深さが調節できるのであって、額縁側部材７と開口縁側部材８とがその隣接距離を調節自在にして取り付け可能になっている。
【００１８】
なお、実際の施工としては、スペーサ材６における調節作業は、額縁材４の窓部材５や室内壁１０ａへの固定を行う前に、額縁材４の主体板部１５が窓部材５の額縁固定片１４に収まり良く固定可能になる位置に額縁材４を位置させるようにして、行われるものである。
【００１９】
上記のように構成される本例の窓縁構造では、窓部材５と窓用開口２との寸法ギャップがあっても、額縁側部材７と開口縁側部材８との２部材で構成したスペーサ材６を用いて、額縁材４を窓用開口２の開口下地３に任意の距離を保って配設することができ、窓部材５と開口下地３とを額縁材４にて収まり良く確実に連結させることが可能にされているのである。
【図面の簡単な説明】
【００２０】
【図１】本発明の実施の形態の例の窓縁構造であって、（ａ）は断面図であり、（ｂ）はスペーサ材の分解側面図である。
【図２】従来技術の例の窓縁構造の断面図である。
【符号の説明】
【００２１】
１  建物
２  窓用開口
３  開口下地
４  額縁材
５  窓部材
６  スペーサ材
７  額縁側部材
８  開口縁側部材
９  ネジ部
【図１】
2009127383.tif 000003
【図２】
2009127383.tif 000004